(57)【要約】【課題】      部品点数が少なく、組み込み・分解性が容易で使用後の清掃が容易な魚釣用リ−ルを提供することである。【解決手段】  制動力調節体７は操作ツマミ部７ｂと筒部７ｄが形成され、筒部７ｄに周方向の複数の切欠き７ｆが形成され、筒部７ｄ内に嵌合される押圧部材８は筒部８ａの小径側が制動板２４の押圧面８ｃで、押圧面８ｃの中心に回り止め透孔８ｄが穿設されて支軸６の回り止め部６ｃが軸線方向に摺動自在に嵌合され、筒部８ａの大径側に段部８ｅと外周に延びた環状の嵌合部８ｆが形成されている。  止め輪９は弾性丸材で円弧部９ａと内向きの２つの凸部９ｂ、９ｂと端部９ｃ、９ｄで形成され、凸部９ｂ、９ｂは筒部７ｄの外側から切欠き７ｆに嵌め込まれて環状の嵌合部８ｆが抜け止めされる。【選択図】        図２
2006174717.tif 000002
【特許請求の範囲】
【請求項１】
釣糸の繰り出しで回転する回転体を支持する支軸に制動力調節体を回転自在に螺合し、該制動力調節体の回転操作で制動板を押圧することにより前記支軸に対する前記回転体の摩擦結合力を調節可能とした魚釣用リ−ルにおいて、前記制動力調節体の筒部に前記制動板を押圧する押圧部材を装着し、前記筒部と押圧部材の嵌合部の径方向に弾性変形可能な止め輪の凸部を互いに係合させて、前記制動力調節体の筒部に押圧部材を抜け止めしたことを特徴とする魚釣用リ−ル。
【発明の詳細な説明】
【技術分野】
【０００１】
本発明は、釣糸が巻回されるスプ−ルの回転方向に制動力を付与する制動装置を備えた魚釣用リ−ルの改良に関する。
【背景技術】
【０００２】
従来、魚釣用リ−ルの釣糸の繰り出しで回転する回転体（スプ−ル、連動歯車等）に付与する制動力を調節するツマミは、回転体を支持する支軸上に回転自在に螺合し、回転体を支軸に摩擦結合する制動板を軸方向に押圧する構成となっている。
ツマミは、指で操作される操作部を有するツマミ本体と制動板を押圧する押圧部材とで構成され、押圧部材はツマミ本体に対して特許文献１及び特許文献２で開示されているように、弾性変形係止及び抜け止めプレ−ト、ネジ等の手段によって一体的に取り付けられている。
【特許文献１】特公平６−３７６５７号公報
【特許文献２】特公平７−２５０２８号公報
【発明の開示】
【発明が解決しようとする課題】
【０００３】
解決しようとする問題点は、特許文献１の公報の構成は、ツマミ本体に押圧部材を弾性変形係止後の分解が難しく、実用後に内部の清掃、注油等の作業が容易に行えないと共に弾性変形部に割れが発生する可能性があって強度的に安定しない。
変形によって割れるメッキ部品等を使用できず、外観が制限される。
特許文献２の公報の構成は、ツマミ本体にネジで固定された環状の抜け止めプレ−トを介して押圧部材を取り付ける構成のため、部品点数及び組み込み工程が増えて作業性が劣ると共に製造コストが高くなる。
【０００４】
本発明の目的は前記欠点に鑑み、部品点数が少なく、組み込み・分解性が容易で使用後の清掃が容易な魚釣用リ−ルを提供することである。
【課題を解決するための手段】
【０００５】
本発明は、釣糸の繰り出しで回転する回転体を支持する支軸に制動力調節体を回転自在に螺合し、該制動力調節体の回転操作で制動板を押圧することにより前記支軸に対する前記回転体の摩擦結合力を調節可能とした魚釣用リ−ルにおいて、前記制動力調節体の筒部に前記制動板を押圧する押圧部材を装着し、前記筒部と押圧部材の嵌合部の径方向に弾性変形可能な止め輪の凸部を互いに係合させて、前記制動力調節体の筒部に押圧部材を抜け止めしたことを要旨とするものである。
【発明の効果】
【０００６】
本発明により、制動力調節体の筒部と押圧部材の嵌合部の径方向に弾性変形可能な止め輪の凸部を互いに係合させて、制動力調節体の筒部に押圧部材を抜け止めする構成としたので、必要最小限の部品で構成でき、組み込み・分解性が容易となって使用後の清掃（メンテナンス）が簡単に行える。
又、止め輪の変形で抜け止め係止するので、筒部と押圧部材の材質、表面処理等の制約もなくなる。
【発明を実施するための最良の形態】
【０００７】
制動力調節体７には制動板２４を押圧する押圧部材８が組み合わされて止め輪９で抜け止めされている。
制動力調節体７は円板部７ａと操作ツマミ部７ｂとナット２７が回り止め嵌合される凹部７ｃと筒部７ｄとクリック歯７ｅで形成され、筒部７ｄに周方向の複数の切欠き７ｆが形成されている。
押圧部材８は外形が円錐台状の筒部８ａで内部に凹部８ｂが形成され、筒部８ａの小径側が制動板２４の押圧面８ｃで、押圧面８ｃの中心に回り止め透孔８ｄが穿設されて支軸６の回り止め部６ｃが軸線方向に摺動自在に嵌合されている。
筒部８ａの大径側に段部８ｅと外周に延びた環状の嵌合部８ｆが形成されている。
凹部８ｂ内には発条２９が収容されている。
止め輪９は弾性丸材で円弧部９ａと内向きの２つの凸部９ｂ、９ｂと端部９ｃ、９ｄで形成され、円弧部９ａと端部９ｃ、９ｄは筒部７ｄの外周に嵌合され、凸部９ｂ、９ｂは周方向の複数の切欠き７ｆに嵌め込まれて環状の嵌合部８ｆが抜け止めされる。
【実施例１】
【０００８】
以下、図示の実施例によって本発明を説明すると、図１から図３は第１実施例で魚釣用リ−ルを魚釣用スピニングリ−ルで述べると、図１は魚釣用スピニングリ−ルの断面側面図とリ−ル本体内側の拡大断面側面図、図２はスプ−ルの拡大断面側面図、図３（ａ）は制動力調節体と押圧部材の拡大断面側面図で（ｂ）は制動力調節体の筒部を断面にした制動力調節体と押圧部材と止め輪の背面図である。
【０００９】
魚釣用スピニングリ−ルは、リ−ル本体１の一側開口が図示しない蓋体で閉塞され、蓋体はリ−ル本体１に形成された複数のネジ孔１ａに螺合された図示しないビスで取り付けられている。
リ−ル本体１と蓋体に取り付けられた図示しない軸受で駆動軸２が軸承されている。
駆動軸２の外周一側には駆動歯車２′が一体的に形成され、駆動軸２のリ−ル本体１側の外周他側に歯車２ａが一体的に形成されている。
駆動軸２にはハンドル２″が取り付けられている。
リ−ル本体１の前部には軸受１０で回転軸筒３が回転自在に軸受されると共に前側に突出されている。
軸受１０より前側の回転軸筒３の外周に逆転防止爪車１１とロ−タ４の中心軸筒４ａが嵌合されてナット１２で固定されている。
【００１０】
回転軸筒３の基端３ａは軸受部１ｂの透孔で回転自在に軸承され、基端３ａの前側に一体的に形成されたピニオン３ｂに駆動歯車２′が噛合されてロ−タ４はハンドル２″の回転に連動して回転されるように支持されている。
回転軸筒３の中心孔３ｃには先端にスプ−ルからなる回転体５が取り付けられたスプ−ル軸からなる支軸６が前後往復動可能に摺動自在に挿入され、支軸６の後端の回り止め部６ａに摺動体１３がビス１４で取り付けられている。
リ−ル本体１内の側壁面に軸筒からなる支持部が形成されて伝達歯車１５が軸承されて伝達歯車１５は駆動軸２外周に形成された歯車２ａに噛合されて摺動体１３を介して支軸６の前後往復動機構が構成されている。
【００１１】
ロ−タ４は中心軸筒４ａで回転軸筒３に取り付けられ、中心軸筒４ａと前壁４ｂと大径の筒部４ｃと大径の筒部４ｃの基部４ｄ、４ｅの外周から前方に向けて突出された一対の支持腕４ｆ、４ｇとで形成されている。
一対のベ−ル支持腕４ｆ、４ｇの先端部外側に一方のベ−ル支持部材１６と他方のベ−ル支持部材１７がビス１８、１９で釣糸巻取位置と釣糸放出位置に反転自在に軸承されている。
一方のベ−ル支持部材１６には釣糸案内ロ−ラ２０の取付部２１が取り付けられている。
他方のベ−ル支持部材１７と釣糸案内ロ−ラ２０の取付部２１の間にベ−ル２２が取り付けられている。
スプ−ルからなる回転体５に巻回された釣糸２３は釣糸案内ロ−ラ２０で案内されて引き出される。
【００１２】
スプ−ルからなる回転体５は、釣糸２３が巻回される外周の釣糸巻回胴部５ａと、前側の鍔部５ｂと、後側の大径の筒部５ｃと、中心にスプ−ル軸からなる支軸６の小径部６ｂが嵌合される透孔５ｄと、スプ−ルからなる回転体５の前部にドラグ機構の制動部材Ａが収容される凹部５ｅと後側の軸筒部５ｆとで形成されている。
制動部材Ａは、回転体５に回り止めされた金属板の制動板２４と支軸６に回り止めされた金属板の制動板２５とフェルトや皮革等からなる制動板２６が交互に組み合わされている。
スプ−ル軸からなる支軸６の小径部６ｂの外周には回り止め部６ｃと、小径部６ｂの先端にネジ部６ｄが形成されている。
ネジ部６ｄには制動力調節体７のナット２７が螺合される。
【００１３】
制動力調節体７には制動部材Ａの制動板２４、２５、２６を押圧する押圧部材８が組み合わされて止め輪９で抜け止めされている。
制動力調節体７は円板部７ａと操作ツマミ部７ｂとナット２７が回り止め嵌合される凹部７ｃと筒部７ｄとクリック歯７ｅで形成され、筒部７ｄに周方向の複数の切欠き７ｆが形成されている。
押圧部材８は外形が円錐台状の筒部８ａで内部に凹部８ｂが形成され、筒部８ａの小径側が制動部材Ａの押圧面８ｃで、押圧面８ｃの中心に回り止め透孔８ｄが穿設されて支軸６の回り止め部６ｃが軸線方向に摺動自在に嵌合されている。
筒部８ａの大径側に段部８ｅと外周に延びた環状の嵌合部８ｆが形成されている。
凹部８ｂの穴外縁にはクリック板２８の保持部８ｇが形成されている。
凹部８ｂ内には発条２９が収容されている。
止め輪９は弾性丸材で円弧部９ａと内向きの２つの凸部９ｂ、９ｂと端部９ｃ、９ｄで形成されている。
【００１４】
制動力調節体７に押圧部材８が取り付けられて止め輪９で抜け止めされる時は、環状の嵌合部８ｆが筒部７ｄ内に嵌合されると共に、筒部７ｄ外周に止め輪９が嵌合されて止め輪９の２つの凸部９ｂ、９ｂが複数の切欠き７ｆに嵌め込まれると、径方向に突出した凸部９ｂ、９ｂで環状の嵌合部８ｆが係止されて抜け止めされる。
【００１５】
魚釣用スピニングリ−ルの動作は、一方のベ−ル支持部材１６と他方のベ−ル支持部材１７が釣糸巻取位置にあって釣糸２３がスプ−ルからなる回転体５に巻回される方向にハンドル２″が回転されると、駆動軸２と駆動歯車２′が回転されてピニオン３ｂを介して回転軸筒３が回転され、ロ−タ４が回転される。
駆動軸２が回転されると、歯車２ａが回転され、伝達歯車１５が回転される。
伝達歯車１５の回転運動が摺動体１３の直線往復動に変換されてスプ−ル軸からなる支軸６とスプ−ルからなる回転体５が前後方向に直線往復動される。
制動力調節体７が回動されると、ナット２７が支軸６のネジ部６ｄに螺合されて押圧部材８が制動部材Ａに押圧されたり緩められて制動力が調節される。
【００１６】
前記のように魚釣用スピニングリ−ルが構成されると、制動力調節体７の筒部７ｄと押圧部材８の嵌合部８ｆの径方向に弾性変形可能な止め輪９の凸部９ｂを互いに係合させて、制動力調節体７の筒部７ｄに押圧部材８を抜け止めする構成としたので、必要最小限の部品で構成でき、組み込み・分解性が容易となって使用後の清掃（メンテナンス）が簡単に行える。
又、止め輪９の変形で抜け止め係止するので、筒部７ｄと押圧部材８の材質、表面処理等の制約もなくなる。
【実施例２】
【００１７】
図４は第２実施例で、図４（ａ）は制動力調節体と押圧部材の拡大断面側面図で（ｂ）は制動力調節体の筒部を断面にした制動力調節体と押圧部材と止め輪の背面図である。
【００１８】
第２実施例では、止め輪９′は弾性丸材で円弧部９ａと外向きの２つの凸部９ｅ、９ｅと端部９ｃ、９ｄで形成されている。
他の構成は前記第１実施例と略同一である。
【００１９】
制動力調節体７に押圧部材８が取り付けられて止め輪９′で抜け止めされる時は、環状の嵌合部８ｆが筒部７ｄ内に嵌合されると共に、止め輪９′の円弧部９ａは押圧部材８の筒部８ａの大径側の段部８ｅ外周に嵌合され、外向きの２つの凸部９ｅ、９ｅは制動力調節体７の複数の切欠き７ｆに内側から嵌め込まれると、円弧部９ａと端部９ｃ、９ｄで環状の嵌合部８ｆが係止されて抜け止めされる。
【実施例３】
【００２０】
図５は第３実施例で、図５（ａ）は制動力調節体と押圧部材の拡大断面側面図で（ｂ）は制動力調節体の筒部と押圧部材の筒部を断面にした制動力調節体と押圧部材と止め輪の背面図である。
【００２１】
第３実施例では、制動力調節体７は円板部７ａと操作ツマミ部７ｂとナット２７が回り止め嵌合される凹部７ｃと筒部７ｇで形成され、筒部７ｇの外周に周溝からなる嵌合部７ｈが形成されている。
押圧部材８′は外形が等径の筒部８ｈで内部に凹部８ｂが形成され、筒部８ｈの端面が制動部材Ａの押圧面８ｃで、押圧面８ｃの中心に回り止め透孔８ｄが穿設されて支軸６の回り止め部６ｃが軸線方向に摺動自在に嵌合されている。
筒部８ｈには複数の周方向の切欠き８ｉが形成されている。
止め輪９″は弾性丸材で円弧部９ａと内向きの２つの凸部９ｂ、９ｂと端部９ｃ、９ｄで形成されて第１実施例の止め輪９と同形で小型に形成されている。
他の構成は前記第１実施例と略同一である。
【００２２】
制動力調節体７に押圧部材８′が取り付けられて止め輪９″で抜け止めされる時は、筒部７ｇの外周に筒部８ｈの凹部８ｂが嵌合されると共に、筒部８ｈの外周に止め輪９″の円弧部９ａと端部９ｃ、９ｄが嵌合され、内向きの２つの凸部９ｂ、９ｂが複数の周方向の切欠き８ｉと周溝からなる嵌合部７ｈに嵌め込まれると、凸部９ｂ、９ｂで筒部８ｈが係止されて抜け止めされる。
【産業上の利用可能性】
【００２３】
前記説明では、魚釣用リ−ルを魚釣用スピニングリ−ルで述べたが、他の形式の魚釣用リ−ルに実施してもよい。
【図面の簡単な説明】
【００２４】
【図１】第１実施例で、魚釣用スピニングリ−ルの断面側面図とリ−ル本体内側の拡大断面側面図である。
【図２】スプ−ルの拡大断面側面図である。
【図３】（ａ）は制動力調節体と押圧部材の拡大断面側面図で（ｂ）は制動力調節体の筒部を断面にした制動力調節体と押圧部材と止め輪の背面図である。
【図４】第２実施例で、（ａ）は制動力調節体と押圧部材の拡大断面側面図で（ｂ）は制動力調節体の筒部を断面にした制動力調節体と押圧部材と止め輪の背面図である。
【図５】第３実施例で、（ａ）は制動力調節体と押圧部材の拡大断面側面図で（ｂ）は制動力調節体の筒部と押圧部材の筒部を断面にした制動力調節体と押圧部材と止め輪の背面図である。
【符号の説明】
【００２５】
５  スプ−ルからなる回転体
６  支軸
７  制動力調節体
７ｄ、７ｇ  筒部
７ｈ、８ｆ  嵌合部
８、８′  押圧部材
９、９′、９″  止め輪
９ｂ、９ｅ  凸部
２３  釣糸
２４  制動板
【図１】
2006174717.tif 000003
【図２】
2006174717.tif 000004
【図３】
2006174717.tif 000005
【図４】
2006174717.tif 000006
【図５】
2006174717.tif 000007